(57)【要約】【課題】  電力線搬送通信システムにおいて、一般家電機器が接続されていない環境下でも、実際の使用環境に近い擬似環境で伝送評価が容易に行える電力線搬送通信システム用伝送評価装置及び設定器を提供する。【解決手段】  本発明に係る電力線通信システム用伝送評価装置は、電力線を介して制御される電力線搬送通信端末３０を備えた電力線通信システムの伝送評価に用いる電力線通信システム用伝送評価装置であって、電力線に接続されるコンセント２００に差込可能な差込プラグ２と、インダクタンス成分（Ｌ）とキャパシタ成分（Ｃ）と抵抗成分（Ｒ）のうち少なくとも２つの成分を含み、電力線通信技術を利用せずにユーザーが使用する家電機器の入力インピーダンス特性と同等のインピーダンス特性を有する擬似負荷回路３とを備えた構成である。【選択図】図１
2005101789.tif 000002
【特許請求の範囲】
【請求項１】
電力線を介して制御される電力線搬送通信端末を備えた電力線通信システムの伝送評価に用いる電力線通信システム用伝送評価装置であって、
前記電力線に接続される電源コンセントに差込可能な差込プラグと、
インダクタンス成分とキャパシタ成分と抵抗成分のうち少なくとも２つの成分を含み、電力線通信技術を利用せずにユーザーが使用する家電機器の入力インピーダンス特性と同等のインピーダンス特性を有する擬似負荷回路とを備えたことを特徴とする電力線搬送通信システム用伝送評価装置。
【請求項２】
前記擬似負荷回路に対応した擬似ノイズ信号を出力する擬似ノイズ発生部と、
前記擬似ノイズ信号を電力増幅する増幅回路と、
該増幅回路によって電力増幅された前記擬似ノイズ信号を電力線に注入する擬似ノイズ信号結合回路とを更に備えた請求項１に記載の電力線搬送通信システム用伝送評価装置。
【請求項３】
前記擬似負荷回路及び前記擬似ノイズ発生部を、前記家電機器の種類に応じて各々対になるように複数個設けるとともに、
複数の擬似負荷回路から１つの擬似負荷回路を選択切替え自在である第１切替スイッチと、
複数の擬似ノイズ発生部から１つの擬似ノイズ発生部を選択切替え自在である第２切替スイッチとを備えた請求項１又は請求項２に記載の電力線搬送通信システム用伝送評価装置。
【請求項４】
自己アドレスを設定するアドレス設定部と、前記自己アドレスを記憶する記憶部と、外部機器と無線通信によりデータ通信可能な無線通信部と、前記外部機器から受け取る制御信号内のアドレスが自己アドレスと一致するか否かを判断し前記制御信号内の制御情報をもとに前記第１切替スイッチ及び前記第２切替スイッチを制御するとともに前記各部を制御する制御部とを備えた請求項３に記載の電力線搬送通信システム用伝送評価装置。
【請求項５】
電力線通信を行う電力線通信モデムと、電力線に重畳される電力線通信信号を取り出す電力線通信信号結合とを更に備えた請求項４に記載の電力線搬送通信システム用伝送評価装置。
【請求項６】
請求項４又は請求項５に記載の電力線搬送通信システム用伝送評価装置との間でデータ通信可能な無線通信部と、自己アドレスを予め記憶する記憶部と、制御情報を入力可能な入力部と、該入力部に入力された前記制御情報に基づき制御信号を出力するとともに前記各部を制御する制御部とを備えたことを特徴とする設定器。
【発明の詳細な説明】
【技術分野】
【０００１】
本発明は、電力線（電灯線）を信号伝送路として使用する電力線搬送通信システムに用いる電力線搬送通信システム用伝送評価装置及び電力線搬送通信システム用伝送評価装置に用いる設定器に関するものである。
【背景技術】
【０００２】
従来の電力線搬送通信システムは、例えば、住宅、事務所、工場等の建物内の電力線を介して制御される複数の照明装置、空調装置等の負荷機器用の電力線搬送通信端末や、これらの負荷機器を操作するスイッチ等の操作機器用の電力線搬送通信端末を備えた構成である（特許文献１、図１１参照）。この電力線搬送通信端末は、電力線搬送通信技術を用い、電力線から電力を受電すると同時に、商用周波数（５０／６０Ｈｚ）に対して十分に高い周波数信号（電力線通信信号）を商用電源に重畳して負荷機器を制御する。なお、現在の電波法では、電力線搬送通信は、１０ＫＨｚ〜４５０ＫＨｚの周波数帯域の信号を使用することが可能である。
【０００３】
上述の電力線搬送通信システムは、一例として、図１０（ａ）に示すように、照明装置１００に組み込み済みの電力線搬送通信端末３０−１と、エアコン１０１用の電力線搬送通信端末３０−２と、照明装置１００をコントロールする操作器１０２用の電力線搬送通信端末３０−３と、エアコン１０１をコントロールする操作器１０３用の電力線搬送通信端末３０−４とを備えた構成である。なお、電力線搬送通信システムは、電力線通信技術を利用せずにユーザーが使用する家電機器５０（例えば、冷蔵庫５０−１、テレビ５０−２、エアコン５０−３であり、以降、一般家電機器５０と称する。）と、一般家電機器５０に電力を供給する複数の電源コンセント２００（以降、コンセント２００と称する。）とを更に備えた構成である場合が多い。
【０００４】
このような一般家電機器５０を備えた電力線搬送通信システムの電力線配線工事完了時の状態は、上述の電力線搬送通信端末３０（３０−１〜４）が電力線の配線工事と同時に建物フロア内へ施工され、図１０（ｂ）に示すように、一般家電機器５０（５０−１〜３）が電力線には未接続である場合が多い。
【０００５】
ここで、例えば、施工業者等は、電力線の配線工事完了時には図１０（ｂ）に示すように一般家電機器５０を未接続な状態なまま電力線搬送通信システムを動作させて伝送環境評価（伝送試験）を実施する。
【０００６】
なお、一般的に、一般家電機器５０は、電力線搬送通信技術を考慮した設計になっていないため、例えば、電源回路（不図示）がスイッチング動作することによってスイッチングノイズを発生させたり、エアコンや冷蔵庫等である場合、インバータ（不図示）等がノイズを発生させたりする可能性がある。
【０００７】
また、これらの一般家電機器５０から発生されるノイズは、電力線に流れ込むことで、電力線通信信号に影響を与える可能性があり、一般家電機器５０から発生されるノイズを低減する目的でフィルタ回路（不図示）を使用すれば、電力線の線路インピーダンスが低下し、電力線通信信号自体が減衰してしまう可能性がある。
【特許文献１】特開２００３−１３４００３号公報
【発明の開示】
【発明が解決しようとする課題】
【０００８】
ところが、上述のような従来の電力線搬送通信システムにおいては、伝送試験は、一般家電機器が未接続の状態でなされることが多いため、ユーザーがこのような一般家電機器をコンセントに接続した状態になり初めて生じる一般家電機器からのノイズの影響や、電力線の線路インピーダンスの低下を事前に把握することは困難であった。
【０００９】
本発明は上記問題点を改善するためになされたものであり、電力線搬送通信システムにおいて、一般家電機器が接続されていない環境下でも、実際の使用環境に近い擬似環境で伝送評価が容易に行える電力線搬送通信システム用伝送評価装置及び設定器を提供することを目的とするものである。
【課題を解決するための手段】
【００１０】
上述の目的を達成するために、本発明の請求項１に係る電力線搬送通信システム用伝送評価装置は、電力線を介して制御される電力線搬送通信端末を備えた電力線通信システムの伝送評価に用いる電力線通信システム用伝送評価装置であって、前記電力線に接続される電源コンセントに差込可能な差込プラグと、インダクタンス成分とキャパシタ成分と抵抗成分のうち少なくとも２つの成分を含み、電力線通信技術を利用せずにユーザーが使用する家電機器の入力インピーダンス特性と同等のインピーダンス特性を有する擬似負荷回路とを備えている。
【００１１】
また、本発明の請求項２に係る電力線搬送通信システム用伝送評価装置は、請求項１に記載の電力線搬送通信システム用伝送評価装置において、前記擬似負荷回路に対応した擬似ノイズ信号を出力する擬似ノイズ発生部と、前記擬似ノイズ信号を電力増幅する増幅回路と、該増幅回路によって電力増幅された前記擬似ノイズ信号を電力線に注入する擬似ノイズ信号結合回路とを更に備えている。
【００１２】
また、本発明の請求項３に係る電力線搬送通信システム用伝送評価装置は、請求項１又は請求項２に記載の電力線搬送通信システム用伝送評価装置において、前記擬似負荷回路及び前記擬似ノイズ発生部を、前記家電機器の種類に応じて各々対になるように複数個設けるとともに、複数の擬似負荷回路から１つの擬似負荷回路を選択切替え自在である第１切替スイッチと、複数の擬似ノイズ発生部から１つの擬似ノイズ発生部を選択切替え自在である第２切替スイッチとを備えている。
【００１３】
また、本発明の請求項４に係る電力線搬送通信システム用伝送評価装置は、請求項３に記載の電力線搬送通信システム用伝送評価装置において、自己アドレスを設定するアドレス設定部と、前記自己アドレスを記憶する記憶部と、外部機器と無線通信によりデータ通信可能な無線通信部と、前記外部機器から受け取る制御信号内のアドレスが自己アドレスと一致するか否かを判断し前記制御信号内の制御情報をもとに前記第１切替スイッチ及び前記第２切替スイッチを制御するとともに前記各部を制御する制御部とを備えている。
【００１４】
また、本発明の請求項５に係る電力線搬送通信システム用伝送評価装置は、請求項４に記載の電力線搬送通信システム用伝送評価装置において、電力線通信を行う電力線通信モデムと、電力線に重畳される電力線通信信号を取り出す電力線通信信号結合とを更に備えている。
【００１５】
また、本発明の請求項６に係る設定器は、請求項４又は請求項５に記載の電力線搬送通信システム用伝送評価装置との間でデータ通信可能な無線通信部と、自己アドレスを予め記憶する記憶部と、制御情報を入力可能な入力部と、該入力部に入力された前記制御情報に基づき制御信号を出力するとともに前記各部を制御する制御部とを備えている。
【発明の効果】
【００１６】
このような構成の電力線搬送通信システム用伝送評価装置は、電力線搬送通信システムに一般家電機器を施工する前段階であっても、一般家電機器を使用した状態に近い擬似環境を構築して伝送評価を行なうことができるため、伝送環境の改善やノイズ対策を事前に行うことが可能となり、ユーザーが電力線搬送通信システムに一般家電機器を実際使用する状態での伝送不良等のトラブルを回避することができる。また、このような構成の設定器は、電力線搬送通信システム用伝送評価装置を更に使い易くすることで、施工業者にとっての伝送試験時の手間を省くことができる。
【発明を実施するための最良の形態】
【００１７】
以下、本発明に係る実施形態を図面に基づいて説明する。なお、背景技術を含め、各図において、同一の符号を付した構成は、同一の構成であることを示し、その説明を省略する。
【００１８】
本発明の第１実施形態を図１乃至図３に基づいて説明する。図１は、本発明の第１実施形態に係る電力線搬送通信システムに用いる電力線搬送通信システム用伝送評価装置１（以降、伝送評価装置１と称する。）を示す構成図であり、図２は、伝送評価装置１に用いる擬似負荷回路３を示す図である。なお、図２（ａ）は、擬似負荷回路３の回路図であり、図２（ｂ）は、擬似負荷回路３のインピーダンス特性を示す図である。また、図３は、電力線搬送通信システムに伝送評価装置１を用いた一例を示す図である。なお、第１実施形態においては、電力線搬送通信システムは、背景技術の図１０に記載のものと略同様の構成であるので、詳細な説明は省略する。
【００１９】
伝送評価装置１は、コンセント２００に差込可能な差込プラグ２と、背景技術に記載した一種類の一般家電機器５０の入力インピーダンスと同等特性を持つ擬似負荷回路３とを備えた構成である。
【００２０】
ここで、擬似負荷回路３は、図２に示すように、例えば、インダクタンスＬ、キャパシタＣ、抵抗Ｒを直列結合させており、この擬似負荷回路３のインピーダンス特性は、横軸が周波数（Ｈｚ）で縦軸がインピーダンス（Ω）である図２（ｂ）に示すように、商用周波数（５０／６０Ｈｚ）では十分大きく、電力線搬送通信通信の周波数帯域であり一般家電機器５０からのノイズ成分の流入を避けるべき１０ＫＨｚ〜４５０ＫＨｚの周波数帯域でインピーダンスが小さくなるように設定されている。
【００２１】
なお、擬似負荷回路３は、図２（ｂ）に示すようなインピーダンス特性を満足すれば、インダクタンスＬ、キャパシタＣ、抵抗Ｒのうち、少なくとも２つの成分を備えて構成されていればい。
【００２２】
ここで、一般家電機器５０の種類ごとにインピーダンス特性が異なるので、例えば、冷蔵庫５０−１、テレビ５０−２、エアコン５０−３（図１０参照）に対応する入力インピーダンスを擬似的に実現する擬似負荷回路３を個々に備えた伝送評価装置１が準備されることが好ましい。というのは、一般の住宅、事務所、工場等の建物では、冷蔵庫５０−１、テレビ５０−２、エアコン５０−３等の一般家電機器５０がどこのコンセント２００に接続されるかということは、施工業者等により前もって大凡想定可能であるため、施工業者は、所望の一般家電機器５０に対応する擬似負荷回路３を備えた伝送評価装置１を選択して後、前述のように想定したコンセント２００に差込プラグ２を差し込み電力線搬送通信システムに対する伝送試験を行うことができるからである。
【００２３】
第１実施形態に係る伝送評価装置１は、コンセント２００に接続するだけで、実際に一般家電機器５０を接続しなくても、擬似負荷回路３により一般家電機器５０が実際にコンセント２００に接続された状態に近い環境で伝送評価を実施することができるので、伝送環境の改善や対策を事前に行うことが可能となり、電力線搬送通信システムで一般家電機器５０を実際使用する状態（運用状態）で生じる電力線の線路インピーダンス低下等のトラブルを回避することができる。また、施工業者は、伝送評価装置１を用いることで、ユーザーが使用中、つまりプライベートな環境下の電力線搬送通信システムにて伝送試験を行なう必要がなくなる。また、施工業者は、電力線の配線工事完了後に再度現場に足を運んで伝送試験を行うことが不要になるので、電力線搬送通信システムの施工費用を削減することができる。
【００２４】
次に、１つの伝送評価装置１内に複数の擬似負荷回路３（３−１〜３）を備えた実施形態を、本発明の第２実施形態として図４に基づいて説明する。図４は、本発明の第２実施形態に係る伝送評価装置１を示す構成図である。
【００２５】
ここで、第２実施形態においては、図４に示すように、第１実施形態において、伝送評価装置１は、複数の擬似負荷回路３、例えば３つの擬似負荷回路３−１、３−２、３−３と、これら擬似負荷回路３−１、３−２、３−３のうち所望の回路を選択自在である切替スイッチ４とを更に備えた構成である。なお、切替スイッチ４は、例えば、ユーザーが手動にてスイッチ切替えするものである。
【００２６】
ここで、例えば、擬似負荷回路３−１は、冷蔵庫５０−１の入力インピーダンスを擬似的実現する回路であり、擬似負荷回路３−２は、テレビ５０−２の入力インピーダンスを擬似的実現する回路であり、擬似負荷回路３−３は、エアコン５０−３の入力インピーダンスを擬似的実現する回路である（なお、一般家電機器５０は図１０参照）。
【００２７】
第２実施形態に係る伝送評価装置１は、一般家電機器５０の種類に応じた複数の擬似負荷回路３−１〜３と、それら擬似負荷回路３−１〜３を任意に切替え可能な切替スイッチ４を備えているので、施工業者等は、複数個の伝送評価装置１を準備する必要がない。
次に、第２実施形態において一般家電機器５０の電力線に対するノイズの影響を考慮した実施形態を、本発明の第３実施形態として図５に基づいて説明する。図５は、本発明の第３実施形態に係る伝送評価装置１を示す構成図である。
【００２８】
ここで、第３実施形態においては、図５に示すように、第２実施形態において、伝送評価装置は、各擬似負荷回路３−１、３−２、３−３の各々に対応したノイズ信号を出力する擬似ノイズ発生部５（５−１、５−２、５−３）と、擬似ノイズ発生部５から発生するノイズ信号を電力増幅する増幅回路６と、増幅回路６により電力増幅されたノイズ信号を電力線に注入する擬似ノイズ信号結合回路７と、擬似ノイズ発生部５−１、５−２、５−３のうち所望の発生部を選択自在である切替スイッチ８とを更に備えた構成である。
【００２９】
なお、擬似ノイズ発生部５が発生させるノイズ信号は、背景技術で記載したように、一般家電機器５０の電源回路がスイッチング動作することによって生じるスイッチングノイズ特性や、一般家電機器５０がエアコンや冷蔵庫等である場合、インバータ等が発生させるノイズ特性である。
【００３０】
ユーザーは、擬似負荷回路３−１と擬似ノイズ発生部５−１、擬似負荷回路３−２と擬似ノイズ発生部５−２、擬似負荷回路３−３と擬似ノイズ発生部５−３という組合せで選択するように切替スイッチ４及び切替スイッチ８を例えば手動にて操作する。
【００３１】
第３実施形態に係る伝送評価装置１は、コンセント２００に接続するだけで、実際に一般家電機器５０を接続しなくても、擬似負荷回路３と擬似ノイズ発生部５により、一般家電機器５０が実際にコンセント２００に接続された状態に近い環境で伝送評価を実施することができるので、前述の運用状態で生じる電力線の線路インピーダンスの低下問題や一般家電機器が発生するノイズ問題といったトラブルを事前に回避することができる。
【００３２】
次に、第３実施形態において擬似負荷回路３と擬似ノイズ発生部５の選択を自動化した実施形態を、本発明の第４実施形態として図６及び図７に基づいて説明する。図６は、本発明の第４実施形態に係る伝送評価装置１を示す構成図及び伝送評価装置１の擬似負荷回路３と擬似ノイズ発生部５を自動設定するための設定器２０を示す構成図である。なお、図６（ａ）は、伝送評価装置１を示し、図６（ｂ）は、設定器２０を示す。また、図７は、伝送評価装置１と設定器２０の間でのデータ通信の一例を示すシーケンス図である。
【００３３】
第４実施形態では、伝送評価装置１は、図６（ａ）に示すように、第３実施形態に示した伝送評価装置１に加えて、自己アドレスを設定するためのディップスイッチ等のアドレス設定記憶部９と、この自己アドレスを記憶する記憶部１０と、後述する設定器２０と無線通信によりデータ通信可能なアンテナを備えた無線通信部１１と、設定器２０から受け取る制御信号内のアドレスが自己アドレスと一致するか否かを判断し制御情報をもとに擬似負荷回路３及び擬似ノイズ発生部５の切替スイッチ４、切替スイッチ８を制御するとともに前記各部を制御する制御部１２とを備えた構成である。
【００３４】
また、設定器２０は、図６（ｂ）に示すように、設定器２０の自己アドレスを予め記憶している記憶部２１と、伝送評価装置１の無線通信部１１とデータ通信可能なアンテナを備えた無線通信部２２と、後述の設定情報や確認情報を入力可能な入力部２３と、入力部２３に入力された制御情報や伝送評価装置１からの制御信号に含まれる制御情報を表示する表示部２４と、入力部２３に入力された制御情報に基づき伝送評価装置１に制御信号を出力するとともに、伝送評価装置１から受信した制御信号に含まれる制御情報や入力部２３に入力した設定情報や確認情報を表示部２４に出力させる制御部２５とを備えている。
【００３５】
なお、伝送評価装置１の無線通信部１１と設定器２０の無線通信部２２とは、無線通信にて制御信号の送受信を行うことが可能であり、伝送評価装置１と設定器２０との間でやりとりされる制御信号は、図７（ａ）に示すように、物理アドレスである送信先アドレス（以降、ＤＡと称する。）と送信元アドレス（以降、ＳＡと称する。）と、制御情報とを備えたパケット構成である。
【００３６】
なお、第４実施形態では、制御信号内の制御情報は、例えば「擬似負荷回路３−＊及び擬似ノイズ発生部５−＊を選択（＊は１、２、３のいずれか）」という内容を表す設定情報や、「伝送評価装置の擬似負荷回路３及び擬似ノイズ発生部５の選択状態は」という内容を表す確認情報や、「伝送評価装置１は、擬似負荷回路３−＊及び擬似ノイズ発生部５−＊を選択中です（＊は１、２、３のいずれか）」という内容を表す状態通知情報である。
【００３７】
以下は、電力線搬送通信システムに用いるコンセント２００に複数の伝送評価装置１、例えば第４実施形態では３つの伝送評価装置１−１〜３を取り付けた場合、所望の伝送評価装置１の擬似負荷回路３及び擬似ノイズ発生部５を設定器２０にて如何に選択するかについての説明である。
【００３８】
まず、ユーザーは、３つの伝送評価装置１（自己アドレスが「１」のものを伝送評価装置１−１と称し、自己アドレスが「２」のものを伝送評価装置１−２と称し、自己アドレスが「３」のものを伝送評価装置１−３と称する。）に対して、各アドレス設定記憶部９に対してそれぞれの自己アドレスを「１」、「２」、「３」と設定し記憶させる。また、ユーザーは、設定器２０の自己アドレスを記憶部２１に予め「０」と設定する。
【００３９】
設定器２０は、例えば、伝送評価装置１−１に対して、ＤＡ＝「１」、ＳＡ＝「０」、「擬似負荷回路３−２及び擬似ノイズ発生部５−２を選択」という内容を示す設定情報を含んだ制御信号を送信する（Ｓ１）。伝送評価装置１−１は、設定器２０からの制御信号を無線通信部１１で受信し、この制御信号内のＤＡが記憶部１０に記憶されている自己アドレスと一致するか否かを判断し、両者が一致すれば、設定情報をもとに「擬似負荷回路３−２及び擬似ノイズ発生部５−２を選択」するように切替スイッチ４、切替スイッチ８を制御し、もし両者（制御御信号内のＤＡと自己のアドレス）が一致しなければ、この制御信号を破棄する。
【００４０】
なお、設定器２０は、伝送評価装置１−１がどのような組合せの擬似負荷回路３−１〜３、擬似ノイズ発生部５−１〜３を選択しているのかといった選択状況を問い合わせることもできる。
【００４１】
設定器２０は、伝送評価装置１−１に例えば、ＤＡ＝「１」、ＳＡ＝「０」、「伝送評価装置の擬似負荷回路３及び擬似ノイズ発生部５の選択状態は」という内容を示す確認情報を含んだ制御信号を送信すると（Ｓ２）、伝送評価装置１の制御部１２は、無線通信部１１で受信した制御信号内のＤＡが自己のアドレスと一致するか否かを判断し、両者が一致すれば、現在の擬似負荷回路３及び擬似ノイズ発生部５の選択状況を確認して、「伝送評価装置は、擬似負荷回路３−２及び擬似ノイズ発生部５−２を選択中です」という内容を示す状態通知情報を含んだ制御信号を設定器２０に送信する（Ｓ３）。なお、両者（制御御信号内のＤＡと自己のアドレス）が一致しなければ、この制御信号を破棄する。次に、設定器２０の制御部２５は、伝送評価装置１−１から受信した制御信号に含まれるＳＡが記憶部２１の設定器自己アドレスと一致するか否かを判断し、両者が一致すれば、制御信号に含まれる状態通知情報を表示部２４に表示させる。
【００４２】
なお、伝送評価装置１−２、１−３に対する擬似負荷回路３及び擬似ノイズ発生部５の設定も同様であるので説明は省略する。
【００４３】
第４実施形態に係る伝送評価装置１は、無線通信可能な設定器２０を用いて遠隔操作にて擬似負荷回路３及び擬似ノイズ発生部５を自動選択可能にすることができる。従って、施工業者は、設定器２０を用いて電力線搬送通信システムに対する伝送試験の評価環境を柔軟に構築することができる。また、第４実施形態に係る設定器２０は、伝送評価装置１の擬似負荷回路３及び擬似ノイズ発生部５を遠隔操作にて自動選択可能であるので、施工業者にとっての伝送試験時の手間を省くことができる。
【００４４】
次に、伝送評価装置が第４実施形態において他の機能を備えた実施形態を、本発明の第５実施形態として図８及び図９に基づいて説明する。図８は、本発明の第５実施形態に係る伝送評価装置１を示す構成図である。また、図９は、伝送評価装置１と設定器２０の間でのデータ通信の一例を示すシーケンス図である。なお、設定器２０は、第４実施形態に示したものと同一である。
【００４５】
第５実施形態では、伝送評価装置１は、第４実施形態に示した伝送評価装置１に加えて、電力線通信モデム１３と、電力線通信信号結合回路１４とを備えた構成である。なお、信号の受信時は、電力線通信信号結合回路１４は、電力線に重畳された電力線通信信号を取り出し、電力線通信モデム１３は、この取り出した電力線通信信号をデジタル信号に変換し、また、信号の送信時は、電力線通信信号結合回路１４は、電力線に電力線通信信号を重畳する機能を備えている。
【００４６】
以下は、例えば３つの伝送評価装置１−１、１−２、１−３と設定器２０との間のシーケンスを説明するものである。なお、伝送評価装置１−１、１−２、１−３の各擬似負荷回路３−１〜３及び擬似ノイズ発生部５−１〜３の設定終了するまでのシーケンスは、図７に示したものと同一であるので、説明は省略する。なお、第５実施形態では、制御信号内の制御情報は、第４実施形態に示した情報に加え、例えば「伝送試験を開始する」という内容を示す伝送試験開始情報や、「伝送試験を終了した」という内容を示す伝送試験終了情報や、「伝送試験の結果は」という内容を示すテスト結果確認情報や、「伝送試験の結果は良好です（又は不良です）」という内容を示すテスト結果返答情報である。
【００４７】
まず、第４実施形態に示した方法と同様にして、伝送評価装置１−１、１−２、１−３の擬似負荷回路３及び擬似ノイズ発生部５を設定器２０にて設定する。次に、設定器２０は、伝送評価装置１−１、１−２、１−３の各々に対して、ＤＡ＝「１」（又は「２」、「３」）、ＳＡ＝「０」、「伝送試験を開始する」という内容を示す伝送試験開始情報を含んだ制御信号を送信する（Ｓ４）。伝送試験開始情報を含んだ制御信号を受信した伝送評価装置１−１、１−２、１−３の制御部１２は、電力線通信信号結合回路１４から各々他の伝送評価装置１に対して通信テスト用の通信パケットを電力線上に出力する。つまり、電力線上の通信テストは、伝送評価装置１−１と伝送評価装置１−２、１−３間、伝送評価装置１−２と伝送評価装置１−１、１−３間、伝送評価装置１−３と伝送評価装置１−１、１−２間でそれぞれ行われる（Ｓ５）。
【００４８】
なお、伝送評価装置１−１、１−２、１−３は、所定回数の通信パケット送信を行い、この所定回数を終えれば通信テストを終了する。各伝送評価装置１−１、１−２、１−３の各制御部１２は、通信テストが終了すれば、伝送試験終了情報を含む制御信号を設定器２０に送信し（Ｓ６）、この伝送試験終了情報を含む制御信号を受信した設定器２０は、この制御信号発信元の各伝送評価装置１−１、１−２、１−３に対してテスト結果確認情報を含む制御信号を送信する（Ｓ７）。伝送評価装置１−１、１−２、１−３は、通信テストの内容を反映させた情報を盛り込んだテスト結果返答情報を含む制御信号を再度設定器２０に送信する（Ｓ８）。なお、第４実施形態と同様に、伝送評価装置１−１、１−２、１−３は、設定器２０から受信する制御信号内のＤＡが自己アドレスと一致しない場合は、制御信号を破棄するものとする。
【００４９】
第５実施形態に係る伝送評価装置１は、電力線通信モデム１３を備えることで、電力線搬送通信システムに新たな電力線搬送通信端末（不図示）を組み込んだ状況を想定した伝送試験を可能とするとともに、無線通信可能な設定器２０を用いて遠隔操作にて複数の擬似負荷回路３及び擬似ノイズ発生部５から任意の擬似負荷回路３及び擬似ノイズ発生部５を自動選択可能にすることができる。
【００５０】
なお、第２実施形態乃至第５実施形態においては、伝送評価装置１内の擬似負荷回路３、擬似ノイズ発生部５の数は３つずつであるが、この数に限ったものではない。また、第４施形態、第５実施形態においける伝送評価装置１の数は３つであるが、この数に限ったものではない。
【図面の簡単な説明】
【００５１】
【図１】本発明の第１実施形態に係る伝送評価装置を示す構成図である。
【図２】本発明の第１実施形態に係る伝送評価装置に用いる擬似負荷回路を示す図である。
【図３】本発明の第１実施形態に係る伝送評価装置を電力線搬送通信システムに用いた一例を示す図である。
【図４】本発明の第２実施形態に係る伝送評価装置を示す構成図である。
【図５】本発明の第３実施形態に係る伝送評価装置を示す構成図である。
【図６】本発明の第４実施形態に係る伝送評価装置及び設定器を示す構成図である。
【図７】本発明の第４実施形態に係る伝送評価装置と設定器との間でのデータ通信の一例を示すシーケンス図である。
【図８】本発明の第５実施形態に係る伝送評価装置を示す構成図である。
【図９】本発明の第５実施形態に係る伝送評価装置と設定器との間でのデータ通信の一例を示すシーケンス図である。
【図１０】従来の電力線搬送通信システムを示す図である。
【符号の説明】
【００５２】
１  伝送評価装置
２  差込プラグ
３  擬似負荷回路
４、８  切替スイッチ
５  擬似ノイズ発生部
６  増幅回路
７  擬似ノイズ信号結合回路
９  アドレス設定記憶部
１０  記憶部
１１  無線通信部
１２  制御部
１３  電力線通信モデム
１４  電力線通信信号結合回路
２０  設定器
２１  記憶部
２２  無線通信部
２３  入力部
２４  表示部
２５  制御部
３０  電力線搬送通信端末
５０  一般家電機器
２００  コンセント
Ｃ  キャパシタ
Ｌ  インダクタンス
Ｒ  抵抗
【図１】
2005101789.tif 000003
【図２】
2005101789.tif 000004
【図３】
2005101789.tif 000005
【図４】
2005101789.tif 000006
【図５】
2005101789.tif 000007
【図６】
2005101789.tif 000008
【図７】
2005101789.tif 000009
【図８】
2005101789.tif 000010
【図９】
2005101789.tif 000011
【図１０】
2005101789.tif 000012